(57)【要約】  導体パターンが形成された複数の絶縁体層からなる積層体を具備する電子部品であって、積層体の上面側絶縁体層と底面側絶縁体層にグランド電極が形成されており、上面側グランド電極と底面側グランド電極とを電気的に接続する縦列のビアホール群からなる第一のシールドにより積層体は第一及び第二の領域に区画されており、第一の領域に第一の周波数帯用の第一のフィルタを構成する導体パターンが、第二の領域に第一の周波数帯用の第一のバランを構成する導体パターンがそれぞれ配置されており、積層体の底面又は側面に複数の端子電極が形成されており、第一のフィルタの不平衡ポートとなる端子電極の一つは、第一のバランの不平衡ポートとなる端子電極とグランド電極を除く他の端子電極を介さずに隣り合っており、第一のフィルタと第一のバランとは電気的に非接続状態である電子部品。
2012036134.tif 000002
【特許請求の範囲】
【請求項１】
導体パターンが形成された複数の絶縁体層からなる積層体を具備する電子部品であって、
前記積層体の上面側の絶縁体層と底面側の絶縁体層にそれぞれグランド電極が形成されており、
上面側グランド電極と底面側グランド電極とを電気的に接続するように積層方向に形成された縦列のビアホール群により構成された第一のシールドにより、前記積層体は前記上面側グランド電極と前記底面側グランド電極との間で面方向に第一及び第二の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記積層体の底面又は側面に複数の端子電極が形成されており、
前記第一のフィルタの不平衡ポートとなる端子電極の一つは、前記第一のバランの不平衡ポートとなる端子電極と、グランド電極を除く他の端子電極を介さずに隣り合って配置されており、
前記第一のフィルタと前記第一のバランとは前記積層体内で電気的に非接続状態にあることを特徴とする電子部品。
【請求項２】
請求項1に記載の電子部品において、さらに前記上面側グランド電極と前記底面側グランド電極とを電気的に接続するように積層方向に形成された縦列のビアホール群により構成され、前記第一のシールドと交差する第二のシールドを有し、前記第一及び第二のシールドにより前記積層体は前記上面側グランド電極と前記底面側グランド電極との間で面方向に第一〜第四の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記第三の領域に第二の周波数帯用の第二のフィルタを構成する導体パターンが配置されており、
前記第四の領域に第二の周波数帯用の第二のバランを構成する導体パターンが配置されており、
前記第二のフィルタの不平衡ポートとなる端子電極の一つは、前記第二のバランの不平衡ポートとなる端子電極と、グランド電極を除く他の端子電極を介さずに隣り合って配置されており、
前記第一のフィルタと、前記第一のバランと、前記第二のフィルタと、前記第二のバランとは前記積層体内で電気的に非接続状態にあることを特徴とする電子部品。
【請求項３】
請求項2に記載の電子部品において、さらに前記上面側グランド電極と前記底面側グランド電極とを電気的に接続するように積層方向に形成された縦列のビアホール群により構成され、前記第二のシールドと交差する第三のシールドを有し、前記第一〜第三のシールドにより前記積層体は前記上面側グランド電極と前記底面側グランド電極との間で面方向に第一〜第六の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記第三の領域に第二の周波数帯用の第二のフィルタを構成する導体パターンが配置されており、
前記第四の領域に第二の周波数帯用の第二のバランを構成する導体パターンが配置されており、
前記第五の領域に第一の周波数帯用の第三のフィルタを構成する導体パターンが配置されており、
前記第六の領域に第二の周波数帯用の第四のフィルタを構成する導体パターンが配置されており、
前記第一のフィルタと、前記第一のバランと、前記第二のフィルタと、前記第二のバランと、前記第三のフィルタと、前記第四のフィルタとは前記積層体内で電気的に非接続状態にあることを特徴とする電子部品。
【請求項４】
請求項1に記載の電子部品において、
前記積層体の上面及び底面に複数の端子電極が形成されており、
前記第一のフィルタのもう一つの不平衡ポートは上面又は底面の端子電極と接続していることを特徴とする電子部品。
【請求項５】
請求項2に記載の電子部品において、
前記積層体の上面及び底面に複数の端子電極が形成されており、
前記第一及び第二のフィルタの各々のもう一つの不平衡ポートは上面又は底面の端子電極と接続していることを特徴とする電子部品。
【請求項６】
請求項3に記載の電子部品において、
前記積層体の上面及び底面に複数の端子電極が形成されており、
前記第一のフィルタのもう一つの不平衡ポートと、前記第二のフィルタのもう一つの不平衡ポートと、前記第三のフィルタの2つの不平衡ポートと、前記第四のフィルタの2つの不平衡ポートとは、上面又は底面の端子電極に接続していることを特徴とする電子部品。
【請求項７】
請求項1〜6のいずれかに記載の電子部品において、前記積層体の上面に高周波増幅器が配置されていることを特徴とする電子部品。
【請求項８】
導体パターンが形成された複数の絶縁体層からなる積層体を具備する電子部品であって、
前記積層体の上面側の絶縁体層と底面側の絶縁体層にそれぞれグランド電極が形成されており、
上面側グランド電極と底面側グランド電極との間の絶縁体層に形成されたグランド電極により構成された第一のシールドにより、前記積層体は前記上面側グランド電極と前記底面側グランド電極との間で積層方向に第一及び第二の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記積層体の底面又は側面に複数の端子電極が形成されており、
前記第一のフィルタの不平衡ポートとなる端子電極の一つは、前記第一のバランの不平衡ポートとなる端子電極と、グランド電極を除く他の端子電極を介さずに隣り合って配置されており、
前記第一のフィルタと前記第一のバランとは前記積層体内で電気的に非接続状態にあることを特徴とする電子部品。
【請求項９】
請求項8に記載の電子部品において、さらに前記上面側グランド電極と前記底面側グランド電極と前記第一のシールドとを電気的に接続するように積層方向に形成された縦列のビアホール群からなる第二のシールドを有し、前記第一及び第二のシールドにより前記積層体は前記上面側グランド電極と前記底面側グランド電極との間で面方向及び積層方向に第一〜第四の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記第三の領域に第二の周波数帯用の第二のフィルタを構成する導体パターンが配置されており、
前記第四の領域に第二の周波数帯用の第二のバランを構成する導体パターンが配置されており、
前記第二のフィルタの不平衡ポートとなる端子電極の一つは、前記第二のバランの不平衡ポートとなる端子電極と、グランド電極を除く他の端子電極を介さずに隣り合って配置されており、
前記第一のフィルタと、前記第一のバランと、前記第二のフィルタと、前記第二のバランとは前記積層体内で電気的に非接続状態にあることを特徴とする電子部品。
【請求項１０】
請求項8に記載の電子部品において、
前記積層体の上面及び底面に複数の端子電極が形成されており、
前記第一のフィルタのもう一つの不平衡ポートは上面又は底面の端子電極と接続していることを特徴とする電子部品。
【請求項１１】
請求項9に記載の電子部品において、
前記積層体の上面及び底面に複数の端子電極が形成されており、
前記第一及び第二のフィルタの各々のもう一つの不平衡ポートは上面又は底面の端子電極と接続していることを特徴とする電子部品。
【請求項１２】
請求項8〜11のいずれかに記載の電子部品において、前記積層体の上面に高周波増幅器が配置されていることを特徴とする電子部品。
【発明の詳細な説明】
【技術分野】
【０００１】
本発明は、小型化しても干渉が生じないようにフィルタ及びバランを具備する無線通信装置用電子部品に関する。
【背景技術】
【０００２】
携帯電話等の無線通信装置の小型化に伴って、それに用いられる電子部品も急速に小型化されている。図25は無線LAN（Local Area Network）用の無線通信装置の高周波回路を示す。この高周波回路は、アンテナANTに接続されて送信回路Txと受信回路Rxとの接続を切り替える高周波スイッチSWを具備し、周波数f1の送信信号が通過する経路には、アンテナANTから順にフィルタFIL2、増幅器PA、フィルタFIL1及びバランBAL1が接続されており、周波数f2の受信信号が通過する経路には、アンテナANTから順にフィルタFIL4、ローノイズアンプLNA、フィルタFIL3及びバランBAL2が接続されている。このような高周波回路に用いられる送信回路Tx及び受信回路Rxには、ノイズに強い平衡信号を扱う半導体装置ICが用いられる。また半導体装置ICの入出力インピーダンスが他の回路素子の入出力インピーダンスと相違することがあるので、平衡信号と不平衡信号との変換、及びインピーダンス変換のためにバランを必要とすることが多い。【０００３】
特開2003-018039号は、送信回路及び受信回路とアンテナとの間に配置されて、前記送信回路と前記アンテナとの接続、及び前記受信回路と前記アンテナとの接続を制御するスイッチ回路と、前記スイッチ回路と前記送信回路との間に配置された第一の平衡−不平衡回路とを具備し、前記第一の平衡−不平衡回路は第一の伝送線路と前記第一の伝送線路と電磁結合する第二の伝送線路及び第三の伝送線路とを備えたバルントランスであり、前記第一の伝送線路は一端が不平衡端に接続され、他端が接地又は開放端となり、前記第二の伝送線路は一端が接地され、他端が第一の平衡端に接続され、前記第三の伝送線路は一端が接地され、他端が第二の平衡端に接続され、前記第１の平衡−不平衡回路を構成するバルントランスの第二及び第三の伝送線路は一端同士で接続され、コンデンサを介して接地されているRF段モジュールを開示している。フィルタ、バルントランス及びスイッチ回路を構成する伝送線路及びコンデンサは、積層体を構成する誘電体上に形成されており、積層体に内蔵できない受動素子、ダイオード、及びGaAs FET、RFIC等の能動素子は積層体の上面に搭載されている。【０００４】
特開2003-258585号は、図26に示すように、導体パターン330〜390を有する絶縁体層310A〜310Jを積層してなる積層体内にフィルタ及びバランを内蔵し、前記フィルタ及び前記バランは互いに重畳しないように横にずらして形成されており、不平衡用端子と一対の平衡用端子間に接続されている積層型電子部品を開示している。【０００５】
複数の回路機能を有する小型の電子部品を積層体を用いて製造する場合、幾つかの問題がある。第一の問題点は、様々な回路機能を有する電子部品の汎用性が乏しいために、それを使用できる高周波回路が限られることである。例えば特開2003-018039号に示された様々な回路ブロックを製品化する場合、それぞれに応じた電子部品が必要であり、電子部品を共通化することは難しい。一般的に工業製品の製造コストは製造数量に応じて低減するが、従来の電子部品では汎用化が困難であるため、安価に製造するのが困難であった。また回路仕様が変更されると、それに応じた電子部品を始めから設計し直さなければならない。【０００６】
第二の問題点は、複数の回路間で生じる電磁気的な干渉による特性劣化である。特開2003-258585号では、バンドパスフィルタとバランが積層方向に重畳しないように、バンドパスフィルタを構成する導体パターンとバランを構成する導体パターンは、横にずらした状態で絶縁体層上に形成されている。しかしながら電子部品の小型化に伴って、バンドパスフィルタとバランとが一層近接して積層体内に配置されるようになり、干渉を生じない程度に離間させて配置するのが困難になってきた。
【発明の概要】
【発明が解決しようとする課題】
【０００７】
従って本発明の目的は、種々の高周波回路で共用可能であり、小型化しても干渉がないようにフィルタ及びバランを具備し、かつ優れた電気的特性を有する電子部品を提供することである。
【課題を解決するための手段】
【０００８】
本発明の第一の電子部品は、導体パターンが形成された複数の絶縁体層からなる積層体を具備し、
前記積層体の上面側の絶縁体層と底面側の絶縁体層にそれぞれグランド電極が形成されており、
上面側グランド電極と底面側グランド電極とを電気的に接続するように積層方向に形成された縦列のビアホール群により構成された第一のシールドにより、前記積層体は前記上面側グランド電極と前記底面側グランド電極との間で面方向に第一及び第二の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記積層体の底面又は側面に複数の端子電極が形成されており、
前記第一のフィルタの不平衡ポートとなる端子電極の一つは、前記第一のバランの不平衡ポートとなる端子電極と、グランド電極を除く他の端子電極を介さずに隣り合って配置されており、
前記第一のフィルタと前記第一のバランとは前記積層体内で電気的に非接続状態にあることを特徴とする。【０００９】
本発明の第二の電子部品は、第一の電子部品の構成に加えて、前記上面側グランド電極と前記底面側グランド電極とを電気的に接続するように積層方向に形成された縦列のビアホール群により構成され、前記第一のシールドと交差する第二のシールドを有し、前記第一及び第二のシールドにより前記積層体は前記上面側グランド電極と前記底面側グランド電極との間で面方向に第一〜第四の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記第三の領域に第二の周波数帯用の第二のフィルタを構成する導体パターンが配置されており、
前記第四の領域に第二の周波数帯用の第二のバランを構成する導体パターンが配置されており、
前記第二のフィルタの不平衡ポートとなる端子電極の一つは、前記第二のバランの不平衡ポートとなる端子電極と、グランド電極を除く他の端子電極を介さずに隣り合って配置されており、
前記第一のフィルタと、前記第一のバランと、前記第二のフィルタと、前記第二のバランとは前記積層体内で電気的に非接続状態にあることを特徴とする。【００１０】
本発明の第三の電子部品は、第二の電子部品の構成に加えて、前記上面側グランド電極と前記底面側グランド電極とを電気的に接続するように積層方向に形成された縦列のビアホール群により構成され、前記第二のシールドと交差する第三のシールドを有し、前記第一〜第三のシールドにより前記積層体は前記上面側グランド電極と前記底面側グランド電極との間で面方向に第一〜第六の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記第三の領域に第二の周波数帯用の第二のフィルタを構成する導体パターンが配置されており、
前記第四の領域に第二の周波数帯用の第二のバランを構成する導体パターンが配置されており、
前記第五の領域に第一の周波数帯用の第三のフィルタを構成する導体パターンが配置されており、
前記第六の領域に第二の周波数帯用の第四のフィルタを構成する導体パターンが配置されており、
前記第一のフィルタと、前記第一のバランと、前記第二のフィルタと、前記第二のバランと、前記第三のフィルタと、前記第四のフィルタとは前記積層体内で電気的に非接続状態にあることを特徴とする。【００１１】
第一の電子部品において、前記積層体の上面及び底面に複数の端子電極が形成されており、前記第一のフィルタのもう一つの不平衡ポートは上面又は底面の端子電極と接続しているのが好ましい。また第二の電子部品において、前記第一及び第二のフィルタの各々のもう一つの不平衡ポートは上面又は底面の端子電極と接続しているのが好ましい。【００１２】
第三の電子部品において、前記積層体の上面及び底面に複数の端子電極が形成されており、前記第一のフィルタのもう一つの不平衡ポートと、前記第二のフィルタのもう一つの不平衡ポートと、前記第三のフィルタの2つの不平衡ポートと、前記第四のフィルタの2つの不平衡ポートとは、上面又は底面の端子電極に接続しているのが好ましい。【００１３】
また第三の電子部品では、前記第三のシールドを構成するビアホール群の少なくとも一部を積層体の上面から底面まで延ばし、前記積層体の上面で前記第三のシールドと重なる部分に増幅器を配置することにより、前記第三のシールドを前記増幅器の放熱経路とすることができる。【００１４】
第一〜第三の電子部品において、前記積層体の上面に高周波増幅器が配置されているのが好ましい。【００１５】
本発明の第四の電子部品は、導体パターンが形成された複数の絶縁体層からなる積層体を具備し、
前記積層体の上面側の絶縁体層と底面側の絶縁体層にそれぞれグランド電極が形成されており、
上面側グランド電極と底面側グランド電極との間の絶縁体層に形成されたグランド電極により構成された第一のシールドにより、前記積層体は前記上面側グランド電極と前記底面側グランド電極との間で積層方向に第一及び第二の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記積層体の底面又は側面に複数の端子電極が形成されており、
前記第一のフィルタの不平衡ポートとなる端子電極の一つは、前記第一のバランの不平衡ポートとなる端子電極と、グランド電極を除く他の端子電極を介さずに隣り合って配置されており、
前記第一のフィルタと前記第一のバランとは前記積層体内で電気的に非接続状態にあることを特徴とする。【００１６】
本発明の第五の電子部品は、第四の電子部品の構成に加えて、前記上面側グランド電極と前記底面側グランド電極と前記第一のシールドとを電気的に接続するように積層方向に形成された縦列のビアホール群からなる第二のシールドを有し、前記第一及び第二のシールドにより前記積層体は前記上面側グランド電極と前記底面側グランド電極との間で面方向及び積層方向に第一〜第四の領域に区画されており、
前記第一の領域に第一の周波数帯用の第一のフィルタを構成する導体パターンが配置されており、
前記第二の領域に第一の周波数帯用の第一のバランを構成する導体パターンが配置されており、
前記第三の領域に第二の周波数帯用の第二のフィルタを構成する導体パターンが配置されており、
前記第四の領域に第二の周波数帯用の第二のバランを構成する導体パターンが配置されており、
前記第二のフィルタの不平衡ポートとなる端子電極の一つは、前記第二のバランの不平衡ポートとなる端子電極と、グランド電極を除く他の端子電極を介さずに隣り合って配置されており、
前記第一のフィルタと、前記第一のバランと、前記第二のフィルタと、前記第二のバランとは前記積層体内で電気的に非接続状態にあることを特徴とする。【００１７】
第四の電子部品において、前記積層体の上面及び底面に複数の端子電極が形成されており、前記第一のフィルタのもう一つの不平衡ポートは上面又は底面の端子電極と接続しているのが好ましい。また第五の電子部品において、前記第一及び第二のフィルタのもう一つの不平衡ポートは上面又は底面の端子電極と接続しているのが好ましい。【００１８】
第四及び第五の電子部品において、前記積層体の上面に高周波増幅器が配置されているのが好ましい。
【発明の効果】
【００１９】
本発明によれば、種々の高周波回路で共用可能であり、小型化してもフィルタとバランとの干渉がなく、かつ優れた電気的特性を有する電子部品が得られる。
【図面の簡単な説明】
【００２０】
【図１】本発明の一実施例による電子部品の外観を示す斜視図である。
【図２】本発明の一実施例による電子部品を構成する積層体におけるフィルタ及びバランの配置の一例を示す斜視図である。
【図３】本発明の一実施例による電子部品の回路を示すブロック図である。
【図４】本発明の一実施例による電子部品におけるフィルタとバランの接続の一例を示すブロック図である。
【図５】本発明の一実施例による電子部品におけるフィルタとバランの接続の他の例を示すブロック図である。
【図６】本発明の一実施例による電子部品を構成する積層体における端子電極の配置を示す斜視図である。
【図７（ａ）】本発明の他の実施例による電子部品を構成する積層体におけるフィルタ及びバランの配置の他の例を示す斜視図である。
【図７（ｂ）】図7(a) の線分A-Aに沿って得られた分解断面図である。
【図８】本発明の一実施例による電子部品を構成する積層体の内部構造を示す分解斜視図である。
【図９】本発明のさらに他の実施例による電子部品の回路を示すブロック図である。
【図１０】本発明の他の実施例による電子部品を構成する積層体におけるフィルタ及びバランの配置の一例を示す斜視図である。
【図１１】本発明のさらに他の実施例による電子部品を構成する積層体におけるフィルタとバランの配置の他の例を示す斜視図である。
【図１２】本発明の電子部品に用いるフィルタの一例を示す図である。
【図１３】本発明の電子部品に用いるフィルタの他の例を示す図である。
【図１４】本発明の電子部品に用いるバランの一例を示す図である。
【図１５】本発明の電子部品に用いるバランの他の例を示す図である。
【図１６】本発明の電子部品に用いるバランのさらに他の例を示す図である。
【図１７】本発明の電子部品に用いるバランのさらに他の例を示す図である。
【図１８】本発明の他の実施例による電子部品の外観を示す斜視図である。
【図１９】本発明のさらに他の実施例による電子部品を構成する積層体におけるフィルタ、バラン等の配置を示す分解斜視図である。
【図２０】図19に示す電子部品の回路の一例を示すブロック図である。
【図２１】図19に示す電子部品を構成する積層体における端子電極の配置を示す底面図である。
【図２２】図19に示す電子部品を構成する積層体の内部構造を示す分解斜視図である。
【図２３】図19に示す電子部品における送信信号及び受信信号の経路示す図である。
【図２４（ａ）】本発明の電子部品を具備する高周波回路の基本構成の一例を示すブロック図である。
【図２４（ｂ）】図24(a) に示す高周波回路において、フィルタの端子とバランの端子を短絡した構成を示すブロック図である。
【図２４（ｃ）】図24(a) に示す高周波回路において、フィルタの端子とバランの端子との間にノッチフィルタを設けた構成を示すブロック図である。
【図２４（ｄ）】図24(a) に示す高周波回路において、フィルタの端子とバランの端子との間にローパスフィルタを設けた構成を示すブロック図である。
【図２４（ｅ）】図24(a) に示す高周波回路において、フィルタの端子とバランの端子との間にハイパスフィルタを設けた構成を示すブロック図である。
【図２５】無線通信装置内の高周波回路の一例を示すブロック図である。
【図２６】従来の電子部品の内部構成を示す分解斜視図である。
【発明を実施するための形態】
【００２１】
本発明の好ましい実施例を図面を参照して以下詳細に説明する。一実施例に関する説明は特に断りがなければ他の実施例にもそのまま当てはまる。
【００２２】
図1は本発明の一実施例による電子部品1の外観を示し、図2は電子部品1におけるフィルタ20及びバラン25の配置を示し、図3はその回路構成を示す。電子部品1を構成する積層体10は、異なる積層位置にある複数のグランド電極GND1，GND2と、グランド電極GND1，GND2を電気的に接続するシールドSRにより、電磁気的にシールドされた複数の領域10a，10bに面方向に区画されており、第一のフィルタ20を構成する導体パターンは第一の領域10aに配置されており、第一のバラン25を構成する導体パターンは領域10aと異なる第二の領域10bに配置されている。各領域10a，10bがシールドされた状態にあるので、フィルタ20及びバラン25はそれぞれ他の回路からのノイズを受け難い。
【００２３】
フィルタ20の一対の入出力ポートP1，Paは不平衡ポートであり、バラン25の一対の入出力ポートPb，P2+，P2-のうち入力ポートPbは不平衡ポートであり、出力ポートP2+，P2-は平衡ポートである。以下の説明では、各回路において一方のポートを入力ポートとし、他方のポートを出力ポートとしているが、限定的ではない。
【００２４】
本発明の電子部品1では、フィルタ20とバラン25とは積層体10内では接続されておらず、フィルタ20の入力ポートP1及び出力ポートPaと、バラン25の入力ポートPb及び出力ポートP2+／P2-とは、それぞれ積層体の外面に形成された端子電極に接続されている。このため、例えば図4に示すように本発明の電子部品1を回路基板（図示せず）に実装する場合、他の回路素子27（この例ではノッチフィルタ）及び回路基板上の接続線路120，120を介してフィルタ20とバラン25とを接続しても良い。また図5に示すように、回路基板上の接続線路120又は接続パッド（図示せず）を介してフィルタ20とバラン25とを接続しても良い。あるいは、フィルタ20及びバラン25を単独で用いても良い。従って、一つの電子部品を四通りの方法で使用できる。
【００２５】
端子電極は、図1に示す側面電極構造及び図6に示す底面電極構造のいずれでも良い。底面電極構造の場合、内部の導体パターンは積層体10内のビアホールを介して端子電極と接続されるため、側面に電極が露出しない。このため、電子部品1を実装基板上で他の回路素子と近接して配置することができ、基板上のRF回路部の面積を低減できる。また底面電極構造は、他の回路素子との電磁気的な干渉を受け難い構成である。
【００２６】
図1及び図6で端子電極に付与した符号は、図3におけるフィルタ20の入力ポートP1及び出力ポートPa、バラン25の入力ポートPb及び出力（平衡）ポートP2+，P2-、グランドポートGND、及び直流電圧が入力されるポートGND/Vbaに対応する。
【００２７】
図2に示す例ではフィルタ20及びバラン25は積層体10内で積層方向に重ならないように配置されているが、図7(a) 及び図7(b) に示すようにフィルタ20及びバラン25を積層方向（上下）に配置しても良い。その場合、上面側グランド電極GND1と底面側グランド電極GND3との間でシールドSRとして機能する中間のグランド電極GND2により、積層体10は上下2つの領域10a，10bに区画され、フィルタ20は第一の領域10aに配置され、バラン25は第二の領域10bに配置されている。
【００２８】
図8は、図3に示す電子部品1を構成する18層の絶縁体層L1〜L18からなる積層体10の内部構造を示す。積層体10はシールドSRにより2つの領域10a，10bに区画されており、第一の領域10aにフィルタ20が配置されており、第二の領域10bにバラン25が配置されている。各絶縁体層を構成するセラミックグリーンシートには導体パターン及びビアホールが形成され、複数のグリーンシートが積層され一体化された後、焼結されてセラミック基板（積層体）10となる。また、樹脂多層化技術により樹脂製の絶縁体層により積層体を構成しても良い。
【００２９】
最下層の絶縁体層L18の裏面の外周部には複数の端子電極が形成されており、それぞれがビアホールを介して上層側の導体パターンに接続されている。各端子電極から離隔した中央域に、ビアホールを介して上層のグランド電極に接続されたグランドパッドGND5が設けられている。グランドパッドGND5は安定したグランド電位を与えるとともに、回路基板との接続強度を向上させる。
【００３０】
図8に示すように、端子電極は、フィルタ20の入力ポートP1及び出力ポートPa、バラン25の入力ポートPb及び出力（平衡）ポートP2+，P2-、グランドポートG1、直流電圧が入力されるポートVba、及び回路基板に設けられたコンデンサを介して接地されるポートG2からなる。入力ポートP1及び出力ポートP2+，P2-は異なる側面（図8に示す例では対向する側面）に配置されている。出力ポートPa及び入力ポートPbは出力ポートP2+，P2-と異なる側面（隣接する側面）に並んで形成されている。グランドポートG1は、グランドパッドGND5とともに上層のグランド電極に接続されている。絶縁体層L18の上面には、ポートVbaとポートG2を接続する線路DLが形成されている。
【００３１】
直流電圧の入力を必要としない場合、ポートVba及びポートG2のどちらか一方を回路基板のグランドと接続し、他方を非接続とする。勿論、いずれもグランドと接続して良い。
【００３２】
絶縁体層L17のほぼ全面にグランド電極GND4が形成されており、グランド電極GND4の中央部にグランドパッドGND5と接続するためのビアホールが形成されており、グランド電極GND4の周縁部にグランドポートG1となる端子電極と接続されるビアホールが形成されている。グランドパッドGND5の外周縁はグランド電極GND4の外周縁より内側にある。
【００３３】
絶縁体層L16には、領域10a及び領域10bに面方向に区画するためのシールドSRを構成する縦列のビアホール群が形成されている。領域10aにはフィルタ20を構成するコンデンサ用の導体パターンが形成されており、領域10bにはバラン25を構成する上層の導体パターンと出力ポートP2+，P2-及びポートG2とを接続するビアホールが形成されている。
【００３４】
絶縁体層L15には、領域10a及び領域10bに区画するためのシールドSRを構成する縦列のビアホール群と、ほぼ全面を覆うグランド電極GND3とが形成されている。領域10aにはフィルタ20を構成するコンデンサ用の導体パターンが形成されており、領域10bにはバラン25を構成する上層の導体パターンと出力ポートP2+，P2-及びポートG2とを接続するビアホールが形成されている。
【００３５】
絶縁体層L14には、領域10a及び領域10bに区画するためのシールドSRを構成する縦列のビアホール群が形成されている。領域10aにはフィルタ20を構成するコンデンサ用の導体パターンが形成されており、領域10bにはバラン25を構成する上層の導体パターンと出力ポートP2+，P2-及びポートG2とを接続するビアホールが形成されている。
【００３６】
絶縁体層L13には、領域10a及び領域10bに区画するためのシールドSRを構成する縦列のビアホール群と、ほぼ全面を覆うグランド電極GND2とが形成されている。領域10bにはバラン25を構成する上層の導体パターンと出力ポートP2+，P2-及びポートG2とを接続するビアホールが形成されている。
【００３７】
絶縁体層L4〜L12には、領域10a及び領域10bに区画するためのシールドSRを構成する縦列のビアホール群が形成されている。領域10aにはフィルタ20を構成する共振器用線路の導体パターンが形成されており、領域10bにはバラン25を構成するインダクタ用線路の導体パターンが形成されている。
【００３８】
絶縁体層L3には、シールドSRを構成する縦列のビアホール群と、ほぼ全面を覆うグランド電極GND1とが形成されている。
【００３９】
絶縁体層L2には、ポートVbaとバラン25を構成する線路用の導体パターンとを接続する線路DLが形成されている。絶縁体層L1には何も形成されていない。このようにして形成されたフィルタ20及びバラン25自体は図20に示すのと同じ等価回路を有する。
【００４０】
グランド電極GND1〜GND4を複数のビアホールで接続することにより、積層体10内で安定したグランド電位が得られる。シールドSR及びグランド電極により、フィルタ20の導体パターンを形成する領域10aと、バラン25の導体パターンを形成する領域10bとは電磁気的に干渉しないように区画されている。この例の電子部品では、線路を構成する領域とコンデンサを構成する領域が異なり、シールドSRの位置も線路を構成する領域とコンデンサを構成する領域で異ならせている。このようにそれぞれの絶縁体層で領域10aと領域10bの面積比を異ならせることにより、限られた面積内でフィルタ20用のコンデンサを形成するのに必要な領域を確保している。
【００４１】
同一面内におけるコンデンサ用電極パターンの電磁気的な干渉は、線路を構成する導体パターン間の電磁気的な干渉より小さいので、コンデンサを構成する領域ではシールドSRを省略しても良い。例えば、フィルタ20のコンデンサが形成されたのと同じ絶縁体層にバラン25の導体パターンを接続するビアホールだけが形成されている場合、シールドSRを省略しても良い。
【００４２】
図9は、第一及び第二の周波数帯に対応可能なように、直交する第一及び第二のシールドSR，SRにより積層体100が4つの領域100a，100b，100c，100dに面方向に区画された電子部品の回路を示す。第一の領域100aに第一の周波数帯用の第一のフィルタ20を構成する導体パターンが形成されており、第二の領域100bに第一の周波数帯用の第一のバラン25を構成する導体パターンが形成されており、第三の領域100cに第二の周波数帯用の第二のフィルタ21を構成する導体パターンが形成されており、第四の領域100dに第二の周波数帯用の第二のバラン26を構成する導体パターンが形成されている。
【００４３】
第一のフィルタ20の一方の不平衡ポートPaとなる端子電極は第一のバラン25の不平衡ポートPbとなる端子電極と直接（グランド電極を除く他の端子電極を介さずに）隣り合っており、第二のフィルタ21の一方の不平衡ポートPcとなる端子電極は第二のバラン26の不平衡ポートPdとなる端子電極と直接（グランド電極を除く他の端子電極を介さずに）隣り合っている。第一のフィルタ20と、第一のバラン25と、第二のフィルタ21と、第二のバラン26とは積層体100内で電気的に非接続状態にある。
【００４４】
第一のフィルタ20のもう一つの不平衡ポートP1と第二のフィルタ21のもう一つの不平衡ポートP3とは、積層体100の同じ側面に並んでいるのが好ましく、第一のバラン25の平衡ポートP2+，P2-と第二のバラン26の平衡ポートP4+，P4-とは、不平衡ポートP1，P3と異なる側面（図9に示す例では対向する側面）に並んでいるのが好ましい。また、不平衡ポートP1を不平衡ポートPa，Pbと同じ側面に形成し、不平衡ポートP3を不平衡ポートPc，Pdと同じ側面に形成しても良い。
【００４５】
図10に示す例では、フィルタ20，21及びバラン25、26は、積層体100内においてビアホール群からなる2つのシールドSRにより区画された積層方向に重ならない4つの領域100a〜100dに配置されている。しかし、図11に示すように、上面側グランド電極GND1、底面側グランド電極GND3、及び第一のシールドSRとして機能する中間のグランド電極GND2にそれぞれ接続したビアホール群からなる第二のシールドSRを形成し、第一及び第二のシールドSR，SRにより積層体100を面方向及び積層方向に区画して4つの領域100a〜100dを形成し、各領域100a〜100dにフィルタ20，21及びバラン25、26を配置しても良い。
【００４６】
本発明に用いるフィルタ20，21及びバラン25，26の構成に特に限定されず、公知のものを使用しても良い。図12及び図13はフィルタのを示し、構成例図14〜図17はバランの構成例を示す。図示するフィルタはいずれもバンドパスフィルタであるが、ローパスフィルタを用いても良い。
【００４７】
図14に示すバランは、ポートPbと接続する1/2波長の第一線路Lb1と、第一線路Lb1と結合する1/4波長の第二線路Lb2-1と、同じく第一線路Lb1と結合する1/4波長の第三線路Lb2-2とを備えた、所謂マーチャントバランである。第一線路Lb1の他端は開放端である。また、第二線路Lb2-1及び第三線路Lb2-2の各々の一端は接地されており、他端は不平衡ポートP2-，P2+に接続されている。
【００４８】
図15に示すバランでは、第二線路Lb2-1及び第三線路Lb2-2の接地端がDCカットコンデンサCb1を介して接地されており、ポートVbから電圧を印加することができる。
【００４９】
図16に示すバランは、マーチャントバランの第一線路Lb1を第一コイルLb1-1及び第二コイルLb1-2により構成し、第二線路Lb2-1及び第三線路Lb2-2の各々を第三コイルLb2-1及び第四コイルLb2-2により構成したものである。
【００５０】
図17に示すバランは、ポートPbと接続する第一コイルLb1-1と、一端が第一コイルLb1-1と直列に接続し、他端が接地された第二コイルLb1-2と、第一コイルLb1-1と電磁結合する第三コイルLb2-1と、第二コイルLb1-2と電磁結合する第四コイルLb2-2とを有する。第三コイルLb2-1及び第四コイルLb2-2の各々の一端は接地されており、他端は不平衡ポートP2-，P2+に接続されている。
【００５１】
図18は本発明の他の実施例による電子部品1の外観を示す。この電子部品1は無線LAN装置の高周波送受信回路部に用いられるものであり、複数のフィルタ及びバランとともに、高周波増幅器、ローノイズアンプ及び高周波スイッチを具備する。高周波増幅器、ローノイズアンプ、高周波スイッチ等に用いられる半導体、及び積層体150に内蔵できないコンデンサ等のチップ部品は、積層体150上に実装され、樹脂160で封止されている。
【００５２】
図19は図18に示す電子部品11のフィルタ、バラン等の回路素子の配置を示す。電子部品11を構成する積層体150の内部は、異なる積層位置にある複数のグランド電極GND1，GND2と、グランド電極GND1，GND2に電気的に接続した複数のシールドSR1，SR2，SR3，SR4により、電磁気的にシールドされた複数の領域に面方向に区画されている。フィルタ20、21及びバラン25，26は、第一のシールドSR1及び第二のシールドSR2により区画された4つの領域A，B，C，Dに配置されている。また、ローパスフィルタ32及び整合回路30、バンドパスフィルタ35、及び整合回路29は、第三のシールドSR3及び第四のシールドSR4により区画された3つの領域C，F，Gにそれぞれ配置されている。高周波増幅器等への電源線路250はグランド電極GND1，GND2より外側の絶縁体層200に形成されている。このように各領域がシールドされているので、各回路素子は他の回路素子からのノイズを受け難い。
【００５３】
図20は図18及び図19に示す電子部品11の等価回路を示す。アンテナポートAntには、整合回路29を介して単極双投型（SPDT）の高周波スイッチ60が接続されており、送信信号の経路にはバラン25、フィルタ20、高周波増幅器80、ローパスフィルタ32、及び整合回路30が設けられており、受信信号の経路にはバラン26、フィルタ21、ローノイズアンプ85、及びバンドパスフィルタ35が設けられている。高周波スイッチ60、高周波増幅器80及びローノイズアンプ85は積層体150上に実装されており、その他の回路は積層体150内の導体パターンにより形成されている。DCカットコンデンサ、高周波増幅器85の整合回路等の一部の回路素子は積層体150上に実装されている。
【００５４】
図21に示すように、積層体150の底面には複数の端子電極が形成されている。各端子電極に付与した符号は図20に示す電子部品の等価回路のポートに対応する。積層体150の底面の中央領域にビアホールを介して上層のグランド電極に接続されたグランドパッドGNDが設けられており、安定したグランド電位を与えるとともに、回路基板との接続強度を向上させている。グランドパッドGNDの外周に沿って設けられた端子電極は、第一側面（図21の右側）に形成された複数のグランドポートGND、アンテナポートAnt及び非接続ポートＮCと、第一側面に隣接する第二の側面（図21の下側）に形成された電圧供給端子Vcc1，Vcc2，Vatt，Vb，Vcc、フィルタ20の入力ポートPa、及びバラン25の出力ポートPbと、第二の側面に対向する第三の側面（図21の上側）に形成された電圧供給端子VcL、VbL，Vr，Vt、フィルタ21の出力ポートPc、及びバラン26の入力ポートPdと、第四側面（図21の左側）に形成された電圧供給端子Vd、グランドポートGND、バラン25の入力（平衡）ポートP2+，P2-、及びバラン26の出力（平衡）ポートP4+、P4-とからなる。
【００５５】
図22は図18〜図21に示す電子部品11の積層体150の内部構造を示す。積層体150は18層からなるが、図面上は一部省略している。積層体150は、異なる絶縁体層L3，L7，L9，L11に形成された複数のグランド電極GND1〜GND4と、グランド電極GND1〜GND4を電気的に接続する複数のシールドSRにより、7つの領域A〜Gに区画されている。領域Aには第一のバラン25の導体パターンが形成されており、領域10bには第一のフィルタ20の導体パターンが形成されており、領域Cにはローパスフィルタ32及び整合回路30の導体パターンが形成されており、領域Dには第二のバラン26の導体パターンが形成されており、領域Eには第二のフィルタ21の導体パターンが形成されており、領域Fにはバンドパスフィルタ35の導体パターンが形成されており、領域Gには整合回路29の導体パターンが形成されている。
【００５６】
領域10bに積層体150の上面から底面のグランドパッドGNDまで延在するサーマルビアTBが形成されており、積層体150の上面のうち領域10bに相当する部分に高周波増幅器80の半導体素子が搭載されている。高周波増幅器80の出力側に集中的に配置されたサーマルビアTBは、領域10bと領域Cの間のシールドSRとしても利用されている。このような構成により、複数の回路を含む積層体でも小型化できる。
【００５７】
グランド電極GND1，GND4の外側に位置する絶縁体層L2、L12に複数の電源線路250を集中的に配置し、回路を構成する導体パターンと分離している。また電源線路250間の干渉が低減するように、グランド電極と接続するビアホールが設けられている。
【００５８】
図23は積層体の主要な上面端子電極の配置を示す。図23で上面端子電極に付した符号は、図20に示す等価回路のポートに付した符号に対応する。積層体内の導体パターンで形成されたフィルタ20のポートP2／Bt1、フィルタ21のポートP3／Br3、整合回路29のポートA1、整合回路30のポートLt1、Lt2、ローパスフィルタ32のポートM1、M2、及びバンドパスフィルタ35のポートBr1，Br2は全て、積層体の上面に形成された上面端子電極に接続している。実装されたチップ部品、増幅器、スイッチ等の半導体素子60、80、85の接続はボンディングワイヤWBで行なわれている。
【００５９】
図24(a) は、本発明の積層型電子部品1により構成された2.5 GHz帯のWiMAX（WiBro）に対応の高周波回路を示す。この積層型電子部品1はフィルタ20及びバラン25を具備する。フィルタ20は2.3〜2.7 GHzを通過帯域とするバンドパスフィルタである。
1. この高周波回路を2.3〜2.7 GHzの周波数帯域を有する高周波回路として使用する場合、図24(b) に示すようにフィルタ20の端子Paとバラン25の端子Pbとを短絡するか、図24(c) に示すように端子Paと端子Pbとの間に2.4〜2.5 GHzの信号を減衰させるノッチフィルタ27を設ける。
2. この高周波回路を2.3〜2.4 GHzのWiBro（韓国）に使用する場合、図24(d) に示すように、端子Paと端子Pbとの間に2.4 GHz超の信号を減衰させるローパスフィルタ28aを設ける。
3. この高周波回路を2.5〜2.7 GHzのWiMAX（日本及び米国）に使用する場合、図24(e) に示すように、端子Paと端子Pbとの間に2.5 GHz未満の信号を減衰させるハイパスフィルタ28bを設ける。
【００６０】
以上の通り、本発明の電子部品はフィルタ20とバラン25とが積層体内で電気的に非接続状態にあるので、端子Pa及びPbに接続する外部回路（積層型電子部品の上面に実装される）を変えることにより、種々の周波数帯の高周波回路にすることができる。そのため、多種の高周波回路に対応する電子部品の種類を低減できるだけでなく、その設計も簡単になる。
【図１】
2012036134.tif 000003
【図２】
2012036134.tif 000004
【図３】
2012036134.tif 000005
【図４】
2012036134.tif 000006
【図５】
2012036134.tif 000007
【図６】
2012036134.tif 000008
【図７（ａ）】
2012036134.tif 000009
【図７（ｂ）】
2012036134.tif 000010
【図８】
2012036134.tif 000011
【図９】
2012036134.tif 000012
【図１０】
2012036134.tif 000013
【図１１】
2012036134.tif 000014
【図１２】
2012036134.tif 000015
【図１３】
2012036134.tif 000016
【図１４】
2012036134.tif 000017
【図１５】
2012036134.tif 000018
【図１６】
2012036134.tif 000019
【図１７】
2012036134.tif 000020
【図１８】
2012036134.tif 000021
【図１９】
2012036134.tif 000022
【図２０】
2012036134.tif 000023
【図２１】
2012036134.tif 000024
【図２２】
2012036134.tif 000025
【図２３】
2012036134.tif 000026
【図２４（ａ）】
2012036134.tif 000027
【図２４（ｂ）】
2012036134.tif 000028
【図２４（ｃ）】
2012036134.tif 000029
【図２４（ｄ）】
2012036134.tif 000030
【図２４（ｅ）】
2012036134.tif 000031
【図２５】
2012036134.tif 000032
【図２６】
2012036134.tif 000033
【手続補正書】
【提出日】平成25年3月7日(2013.3.7)
【手続補正１】
【補正対象書類名】明細書
【補正対象項目名】００５２
【補正方法】変更
【補正の内容】
【００５２】
図19は図18に示す電子部品11のフィルタ、バラン等の回路素子の配置を示す。電子部品11を構成する積層体150の内部は、異なる積層位置にある複数のグランド電極GND1，GND2と、グランド電極GND1，GND2に電気的に接続した複数のシールドSR1，SR2，SR3，SR4により、電磁気的にシールドされた複数の領域に面方向に区画されている。フィルタ20、21及びバラン25，26は、第一のシールドSR1及び第二のシールドSR2により区画された4つの領域A，B，D，Eに配置されている。また、ローパスフィルタ32及び整合回路30、バンドパスフィルタ35、及び整合回路29は、第三のシールドSR3及び第四のシールドSR4により区画された3つの領域C，F，Gにそれぞれ配置されている。高周波増幅器等への電源線路250はグランド電極GND1，GND2より外側の絶縁体層200に形成されている。このように各領域がシールドされているので、各回路素子は他の回路素子からのノイズを受け難い。
【手続補正２】
【補正対象書類名】明細書
【補正対象項目名】００５４
【補正方法】変更
【補正の内容】
【００５４】
図21に示すように、積層体150の底面には複数の端子電極が形成されている。各端子電極に付与した符号は図20に示す電子部品の等価回路のポートに対応する。積層体150の底面の中央領域にビアホールを介して上層のグランド電極に接続されたグランドパッドGNDが設けられており、安定したグランド電位を与えるとともに、回路基板との接続強度を向上させている。グランドパッドGNDの外周に沿って設けられた端子電極は、第一側面（図21の右側）に形成された複数のグランドポートGND、アンテナポートAnt及び非接続ポートNCと、第一側面に隣接する第二の側面（図21の下側）に形成された電圧供給端子Vcc1，Vcc2，Vatt，Vb，フィルタ20の入力ポートPa、及びバラン25の出力ポートPbと、第二の側面に対向する第三の側面（図21の上側）に形成された電圧供給端子VcL、VbL，Vr，Vt、フィルタ21の出力ポートPc、及びバラン26の入力ポートPdと、第四側面（図21の左側）に形成された電圧供給端子Vd、グランドポートGND、バラン25の入力（平衡）ポートP2+，P2-、及びバラン26の出力（平衡）ポートP4+、P4-とからなる。
【手続補正３】
【補正対象書類名】明細書
【補正対象項目名】００５５
【補正方法】変更
【補正の内容】
【００５５】
図22は図18〜図21に示す電子部品11の積層体150の内部構造を示す。積層体150は18層からなるが、図面上は一部省略している。積層体150は、異なる絶縁体層L3，L7，L9，L11に形成された複数のグランド電極GND1〜GND4と、グランド電極GND1〜GND4を電気的に接続する複数のシールドSRにより、7つの領域A〜Gに区画されている。領域Aには第一のバラン25の導体パターンが形成されており、領域Bには第一のフィルタ20の導体パターンが形成されており、領域Cにはローパスフィルタ32及び整合回路30の導体パターンが形成されており、領域Dには第二のバラン26の導体パターンが形成されており、領域Eには第二のフィルタ21の導体パターンが形成されており、領域Fにはバンドパスフィルタ35の導体パターンが形成されており、領域Gには整合回路29の導体パターンが形成されている。
【手続補正４】
【補正対象書類名】明細書
【補正対象項目名】００５６
【補正方法】変更
【補正の内容】
【００５６】
領域Bに積層体150の上面から底面のグランドパッドGNDまで延在するサーマルビアTBが形成されており、積層体150の上面のうち領域Bに相当する部分に高周波増幅器80の半導体素子が搭載されている。高周波増幅器80の出力側に集中的に配置されたサーマルビアTBは、領域Bと領域Cの間のシールドSRとしても利用されている。このような構成により、複数の回路を含む積層体でも小型化できる。
【国際調査報告】
2012036134.tif 000034
2012036134.tif 000035
2012036134.tif 000036
2012036134.tif 000037